(57)【要約】  イヤホンに具備されたイヤホンケーブルが互いにもつれたり絡み合うことを防止し、イヤホンの嵩を減少させて保管及び携帯を容易にするイヤホン装置が開示される。本発明の好ましい実施例によるイヤホン装置は、音響器機に連結されるイヤホンジャッキと、音響を出力する一対のイヤホンスピーカーと、イヤホンジャッキから一定の長さで延長され、所定部位で第１イヤホンケーブルと第２イヤホンケーブルとに分岐されて一対のイヤホンスピーカーにそれぞれ連結されるイヤホンケーブルとを含み、第１イヤホンケーブルと第２イヤホンケーブルの相互対向する面には結合突起と結合溝が形成されて第１イヤホンケーブルと第２イヤホンケーブルが結合突起と結合溝の雄と雌の結合によって分離可能に結合されることができる。また、イヤホンケーブルの両側面には結合突起と結合溝が形成されてイヤホンケーブルを長さ方向に巻けば結合突起と結合溝の雄と雌の結合によってイヤホンケーブルが螺旋状に巻かれて一体型に結束されることができる。
2017520987.tif 000002
【特許請求の範囲】
【請求項１】
音響器機に連結されるイヤホンジャッキと、
音響を出力する一対のイヤホンスピーカーと、
前記イヤホンジャッキから一定の長さで延長され、所定部位で第１イヤホンケーブルと第２イヤホンケーブルとに分岐されて前記一対のイヤホンスピーカーにそれぞれ連結されるイヤホンケーブルとを含み、
前記第１イヤホンケーブルと前記第２イヤホンケーブルの相互対向する面には結合突起と結合溝が形成されて前記第１イヤホンケーブルと前記第２イヤホンケーブルとが前記結合突起と前記結合溝の雄と雌の結合によって分離可能に結合されることを特徴とするイヤホン装置。
【請求項２】
前記イヤホンケーブルの両側面には結合突起と結合溝が形成されて前記イヤホンケーブルを長さ方向で巻けば前記結合突起と前記結合溝の雄と雌の結合によって前記イヤホンケーブルが螺旋状に巻かれて一体型に結束されることを特徴とする請求項１に記載のイヤホン装置。
【請求項３】
音響器機に連結されるイヤホンジャッキと、
音響を出力する一対のイヤホンスピーカーと、
前記イヤホンジャッキから一定の長さで延長され、所定部位で第１イヤホンケーブルと第２イヤホンケーブルとに分岐されて前記一対のイヤホンスピーカーにそれぞれ連結されるイヤホンケーブルと、を含み、
前記イヤホンケーブルの両側面には結合突起と結合溝が形成されて前記イヤホンケーブルを長さ方向で巻けば前記結合突起と前記結合溝の雄と雌の結合によって前記イヤホンケーブルが螺旋状に巻かれて一体型に結束されることを特徴とするイヤホン装置。
【請求項４】
前記結合突起と前記結合溝は前記イヤホンケーブルの長さ方向と並んで縦型に形成されることを特徴とする請求項１〜３の中の何れか一項に記載のイヤホン装置。
【請求項５】
前記イヤホンケーブルは前記第１イヤホンケーブルの一側面に結合突起が形成され、前記第１イヤホンケーブルの一側面と対向する前記第２イヤホンケーブルの一側面に前記結合突起が挿入されるように結合溝が形成される一面凹凸断面形状を有することを特徴とする請求項４に記載のイヤホン装置。
【請求項６】
前記イヤホンケーブルは前記第１イヤホンケーブルの一側面に結合突起と結合溝が形成され、前記第１イヤホンケーブルの一側面と対向する前記第２イヤホンケーブルの一側面に前記結合突起と前記結合溝がそれぞれ対応して挿入されるように結合溝と結合突起が形成される一面凹凸断面形状を有することを特徴とする請求項４に記載のイヤホン装置。
【請求項７】
前記イヤホンケーブルは一側面に結合突起が形成され、他側面に結合溝が形成される両面凹凸断面形状を有し、前記イヤホンケーブルを長さ方向に螺旋状に巻けば前記イヤホンケーブルの一側面に形成された前記結合突起が前記イヤホンケーブルの他側面に形成された前記結合溝に挿入結合されることを特徴とする請求項４に記載のイヤホン装置。
【請求項８】
前記イヤホンケーブルは一側面に結合突起と結合溝が形成され、他側面に結合溝と結合突起が形成される両面凹凸断面形状を有し、前記イヤホンケーブルを長さ方向に螺旋状に巻けば前記イヤホンケーブルの一側面に形成された前記結合突起が前記イヤホンケーブルの他側面に形成された前記結合溝に挿入結合され、前記イヤホンケーブルの一側面に形成された前記結合溝に前記イヤホンケーブルの他側面に形成された前記結合突起が挿入結合されることを特徴とする請求項４に記載のイヤホン装置。
【請求項９】
前記結合突起と前記結合溝は前記イヤホンケーブルの長さ方向と垂直するように横型に形成されることを特徴とする請求項１〜３の中の何れか一項に記載のイヤホン装置。
【請求項１０】
前記結合突起と前記結合溝は前記イヤホンケーブルの長さ方向に沿って交互に繰り返し形成されることを特徴とする請求項９に記載のイヤホン装置。
【請求項１１】
前記イヤホンケーブルは前記第１イヤホンケーブルの一側面に結合突起と結合溝が前記第１イヤホンケーブルの長さ方向に沿って交互に繰り返し形成され、前記第１イヤホンケーブルの一側面と対向する前記第２イヤホンケーブルの一側面に前記結合突起と前記結合溝がそれぞれ対応して挿入されるように前記第２イヤホンケーブルの長さ方向に沿って結合溝と結合突起が交互に繰り返し形成される一面凹凸断面形状を有することを特徴とする請求項９に記載のイヤホン装置。
【請求項１２】
前記イヤホンケーブルは両側面に結合突起と結合溝が前記イヤホンケーブルの長さ方向に沿って交互に繰り返し形成される両面凹凸断面形状を有し、前記イヤホンケーブルを長さ方向に螺旋状に巻けば前記イヤホンケーブルの一側面に形成された前記結合突起と前記結合溝が前記イヤホンケーブルの他側面に形成された前記結合溝と前記結合突起にそれぞれ対応されるように挿入結合されることを特徴とする請求項９に記載のイヤホン装置。
【請求項１３】
前記イヤホン装置は、前記第１イヤホンケーブル及び第２イヤホンケーブルが内部を通過し、前記イヤホンケーブルに沿って移動可能に設置され、前記イヤホンケーブルに沿って移動することによって前記結合突起と前記結合溝とが分離されたり結合されることができるようにする着脱作動部をさらに含む請求項１に記載のイヤホン装置。
【請求項１４】
音響器機に連結されるイヤホンジャッキと、
音響を出力するイヤホンスピーカーと、
前記イヤホンジャッキから一定の長さで延長され、使用者の首部位にかけることができるように環状のネックレス形状に形成されるネックレスケーブルと、
前記ネックレスケーブルから分岐されて前記イヤホンスピーカーに連結されるイヤホンケーブルとを含み、
前記ネックレスケーブルと前記イヤホンケーブルの相互対向する面には結合突起と結合溝が形成されて前記ネックレスケーブルと前記イヤホンケーブルが前記結合突起と前記結合溝の雄と雌の結合によって分離可能に結合されることを特徴とするイヤホン装置。
【請求項１５】
前記結合突起と前記結合溝は前記ネックレスケーブル及び前記イヤホンケーブルの長さ方向と並んで縦型に形成されることを特徴とする請求項１４に記載のイヤホン装置。
【請求項１６】
前記結合突起と前記結合溝は前記ネックレスケーブル及び前記イヤホンケーブルの長さ方向と垂直するように横型に形成されることを特徴とする請求項１４に記載のイヤホン装置。
【請求項１７】
前記イヤホン装置は、前記ネックレスケーブルと前記イヤホンケーブルが内部を通過し、前記ネックレスケーブル及び前記イヤホンケーブルに沿って移動可能に設置され、前記ネックレスケーブル及び前記イヤホンケーブルに沿って移動することによって前記結合突起と前記結合溝とが分離されたり結合されることができるようにする着脱作動部をさらに含む請求項１４に記載のイヤホン装置。
【発明の詳細な説明】
【技術分野】
【０００１】
本発明はイヤホン装置に関するもので、さらに詳しくは、イヤホンに具備されたイヤホンケーブルが互いにもつれたり絡み合うことを防止して、イヤホンの嵩を減少させて保管及び携帯を容易にするイヤホン装置に関するものである。
【背景技術】
【０００２】
一般的に、イヤホンはＭＰ３プレーヤー、携帯電話、ＰＤＡなどのような音響器機の一側に形成された端子に連結して音響器機で発生される電気的信号を音響に変換させて出力する装置である。このようなイヤホンを利用すれば公共場所などで他人に被害を与えずに音響器機で提供される音響をよりリアルに聞くことができる。
【０００３】
このようなイヤホンは音響器機の端子にイヤホンジャッキが挿入されて連結され、イヤホンジャッキからイヤホンケーブルが一定長さに延長されて所定部位で二つに分岐され、分岐されたイヤホンケーブルの端部に音響を出力するイヤホンスピーカーがそれぞれ設置されるように構成される。
【０００４】
しかしながら、従来のイヤホンは携帯したり保管する時イヤホンケーブルを巻き上げて携帯または保管をする。この場合、イヤホンケーブルが互いにもつれたり絡み合うようになり、特に、一対のイヤホンスピーカーにそれぞれ連結されるように二つに分岐されるイヤホンケーブルでもつれたり絡み合う現象がさらに激しく、このようなイヤホンケーブルのもつれ及び絡み合うことが持続的に繰り返される場合にはイヤホンケーブルに内蔵された電線が短絡される問題点がある。また、イヤホンケーブルがもつれたり絡み合う場合、これを再利用するために絡み合わった状態のイヤホンケーブルを解くのに多くの時間と努力が浪費されるなど使用上の不便をもたらす。
【０００５】
また、イヤホンケーブルを巻き上げて保管するためには結束ワイヤを利用してイヤホンケーブルを結束しなければならないため、別途の結束部材が必要となり、このような結束部材を利用してもイヤホンケーブルの間隙が発生してイヤホンケーブルをきれいに整理することが難しく、イヤホンの嵩が大きくて保管及び携帯性が低下するという問題点がある。
【先行技術文献】
【特許文献】
【０００６】
【特許文献１】大韓民国登録特許第１０−０８０７７０３号（ ２００８．０２．２８．公告）
【発明の概要】
【発明が解決しようとする課題】
【０００７】
本発明が達成しようとする技術的な課題は、イヤホンの携帯または保管時に分岐されるイヤホンケーブルを一体化されるように結合することができるようにしてイヤホンケーブルが互いにもつれたり絡み合うことを防止し、イヤホンケーブルの断線を防止することができるイヤホン装置を提供することにその目的がある。
【０００８】
本発明が達成しようとする他の技術的な課題は、別途の結束部材を用いる必要なしにイヤホンケーブルを螺旋状で巻いて一体化されるように結束することができるようにしてイヤホンの嵩を減少させて保管及び携帯を容易にするイヤホン装置を提供することにその目的がある。
【課題を解決するための手段】
【０００９】
上記技術的な課題を達成するために、本発明の好ましい実施例によるイヤホン装置は、音響器機に連結されるイヤホンジャッキと、音響を出力する一対のイヤホンスピーカーと、上記イヤホンジャッキから所定長さで延長され、所定部位で第１イヤホンケーブルと第２イヤホンケーブルとに分岐されて上記一対のイヤホンスピーカーにそれぞれ連結されるイヤホンケーブルを含み、上記第１イヤホンケーブルと上記第２イヤホンケーブルの相互対向する面には結合突起と結合溝が形成されて、上記第１イヤホンケーブルと上記第２イヤホンケーブルが上記結合突起と上記結合溝の雄と雌の結合によって分離可能に結合されることができる。
【００１０】
また、上記イヤホンケーブルの両側面には結合突起と結合溝が形成されて上記イヤホンケーブルを長さ方向で巻けば上記結合突起と上記結合溝の雄と雌の結合によって上記イヤホンケーブルが螺旋状に巻かれられて一体型に結束されることができる。
【００１１】
また、上記結合突起と上記結合溝は上記イヤホンケーブルの長さ方向と並んで縦型に形成されることができる。
【００１２】
また、上記イヤホンケーブルは上記第１イヤホンケーブルの一側面に結合突起が形成され、上記第１イヤホンケーブルの一側面と対向する上記第２イヤホンケーブルの一側面に上記結合突起が挿入されるように結合溝が形成される一面凹凸断面形状を有することができる。
【００１３】
また、上記イヤホンケーブルは上記第１イヤホンケーブルの一側面に結合突起と結合溝が形成され、上記第１イヤホンケーブルの一側面と対向する上記第２イヤホンケーブルの一側面に上記結合突起と上記結合溝がそれぞれ対応して挿入されるように結合溝と結合突起が形成される一面凹凸断面形状を有することができる。
【００１４】
また、上記イヤホンケーブルは一側面に結合突起が形成され、他側面に結合溝が形成される両面凹凸断面形状を有し、上記イヤホンケーブルを長さ方向に沿って螺旋状に巻けば上記イヤホンケーブルの一側面に形成された上記結合突起が上記イヤホンケーブルの他側面に形成された上記結合溝に挿入結合されることができる。  
また、上記イヤホンケーブルは一側面に結合突起と結合溝が形成され、他側面に結合溝と結合突起が形成される両面凹凸断面形状を有し、上記イヤホンケーブルを長さ方向に沿って螺旋状に巻けば上記イヤホンケーブルの一側面に形成された上記結合突起が上記イヤホンケーブルの他側面に形成された上記結合溝に挿入結合され、上記イヤホンケーブルの一側面に形成された上記結合溝に上記イヤホンケーブルの他側面に形成された上記結合突起が挿入結合されることができる。
【００１５】
また、上記結合突起と上記結合溝は上記イヤホンケーブルの長さ方向と垂直するように横型に形成されることができる。
【００１６】
また、上記結合突起と上記結合溝は上記イヤホンケーブルの長さ方向に沿って交互に繰り返して形成されることができる。
【００１７】
また、上記イヤホンケーブルは上記第１イヤホンケーブルの一側面に結合突起と結合溝が上記第１イヤホンケーブルの長さ方向に沿って交互に繰り返して形成され、上記第１イヤホンケーブルの一側面と対向する上記第２イヤホンケーブルの一側面に上記結合突起と上記結合溝がそれぞれ対応して挿入されるように上記第２イヤホンケーブルの長さ方向に沿って結合溝と結合突起が交互に繰り返して形成される一面凹凸断面形状を有することができる。
【００１８】
また、上記イヤホンケーブルは両側面に結合突起と結合溝が上記イヤホンケーブルの長さ方向に沿って交互に繰り返して形成される両面凹凸断面形状を有し、上記イヤホンケーブルを長さ方向に沿って螺旋状に巻けば上記イヤホンケーブルの一側面に形成された上記結合突起と上記結合溝が上記イヤホンケーブルの他側面に形成された上記結合溝と上記結合突起にそれぞれ対応されるように挿入結合されることができる。
【００１９】
また、上記イヤホン装置は、上記第１イヤホンケーブル及び第２イヤホンケーブルが内部を通過して上記イヤホンケーブルに沿って移動可能に設置され、上記イヤホンケーブルに沿って移動するによって上記結合突起と上記結合溝が分離したり結合されることができるようにする着脱作動部をさらに含むことができる。
【００２０】
また、本発明の好ましい実施例によるイヤホン装置は、音響器機に連結されるイヤホンジャッキと、音響を出力するイヤホンスピーカーと、上記イヤホンジャッキから一定の長さで延長されて使用者の首にかけることができるように丸形のネックレス形状に形成されるネックレスケーブルと、上記ネックレスケーブルから分岐されて上記イヤホンスピーカーに連結されるイヤホンケーブルとを含み、上記ネックレスケーブルと上記イヤホンケーブルの相互対向する面には結合突起と結合溝が形成されて、上記ネックレスケーブルと上記イヤホンケーブルが上記結合突起と上記結合溝の雄と雌の結合によって分離可能に結合されることができる。
【００２１】
また、上記結合突起と上記結合溝は上記ネックレスケーブル及び上記イヤホンケーブルの長さ方向と並んで縦型に形成されることができる。
【００２２】
また、上記結合突起と上記結合溝は上記ネックレスケーブル及び上記イヤホンケーブルの長さ方向と垂直するように横型に形成されることができる。
【００２３】
また、上記イヤホン装置は、上記ネックレスケーブルと上記イヤホンケーブルが内部を通過して上記ネックレスケーブル及び上記イヤホンケーブルに沿って移動可能に設置され、上記ネックレスケーブル及び上記イヤホンケーブルに沿って移動することによって上記結合突起と上記結合溝が分離したり結合されることができるようにする着脱作動部をさらに含むことができる。
【発明の効果】
【００２４】
本発明のイヤホン装置によれば、分岐されるイヤホンケーブルの相互対向する面に結合突起と結合溝を形成して結合突起と結合溝の雄と雌の結合によって分岐されたイヤホンケーブルを一つのイヤホンケーブルに一体化することができるように構成することで、イヤホンの保管または携帯時にイヤホンケーブルが互いにもつれたり絡み合うことを防止してイヤホンケーブルの断線を防止することができるという効果を奏する。
【００２５】
また、本発明は着脱作動部がイヤホンケーブルに沿って移動することによって結合突起と結合溝が相互結合されたり分離されることができるようにし、着脱作動部の移動位置によってイヤホンケーブルの分岐される長さを調節することができるようにすることで、使用上の便宜性を持たせるという効果を奏する。
【００２６】
また、本発明はイヤホンケーブルを螺旋状に巻けばイヤホンケーブルの両面に形成された結合突起と結合溝の雄と雌の結合によってイヤホンケーブルが一体化に結束されることができるように構成することで、別途の結束副材を使う必要なしにイヤホンケーブルを嵩が小さくきれいに整理して、保管及び携帯性を向上させることができるという効果を奏する。
【図面の簡単な説明】
【００２７】
【図１】本発明の好ましい第１実施例によるイヤホン装置の正面図である。
【図２ａ】図１のＡ、Ｂ部分に対する一 実施例の形状の断面図であって、Ａ、Ｂ部分の分離時の横断面図である。
【図２ｂ】図１のＡ、Ｂ部分に対する一実施例の形状の断面図であって、Ａ、Ｂ部分の結合時の横断面図である。
【図３ａ】図１のＡ、Ｂ部分に対する他の実施例の形状の断面図であって、Ａ、Ｂ部分の分離時の横断面図である。
【図３ｂ】図１のＡ、Ｂ部分に対する他の実施例の形状の断面図であって、Ａ、Ｂ部分の結合時の横断面図である。
【図４ａ】図１に示す着脱作動部の斜視図である。
【図４ｂ】図１に示す着脱作動部の作動状態を示した断面図である。
【図５】本発明の好ましい第２実施例によるイヤホン装置の正面図である。
【図６ａ】図５のＡ、Ｂ部分に対する一実施例の形状の断面図であって、Ａ、Ｂ部分の分離時の縦断面図である。
【図６ｂ】図５のＡ、Ｂ部分に対する一 実施例の形状の断面図であって、Ａ、Ｂ部分の結合時の縦断面図である。
【図７ａ】図５に示す着脱作動部の斜視図である。
【図７ｂ】図５に示す着脱作動部の作動状態を示した断面図である。
【図８】本発明の好ましい第３実施例によるイヤホン装置の正面図である。
【図９ａ】図８のＡ、Ｂ、Ｃ部分に対する一実施例の形状の断面図であって、Ａ、Ｂ部分の分離時の横断面図である。
【図９ｂ】図８のＡ、Ｂ、Ｃ部分に対する一実施例の形状の断面図であって、Ａ、Ｂ部分の結合時の横断面図である。
【図９ｃ】図８のＡ、Ｂ、Ｃ部分に対する一実施例の形状の断面図であって、Ｃ部分の横断面図である。
【図１０ａ】図８のＡ、Ｂ、Ｃ部分に対する他の実施例の形状の断面図であって、Ａ、Ｂ部分の分離時の横断面図である。
【図１０ｂ】図８のＡ、Ｂ、Ｃ部分に対する他の実施例の形状の断面図であって、Ａ、Ｂ部分の結合時の横断面図である。
【図１０ｃ】図８のＡ、Ｂ、Ｃ部分に対する他の実施例の形状の断面図であって、Ｃ部分の横断面図である。
【図１１ａ】本発明の好ましい第３実施例によるイヤホン装置の保管の時イヤホンケーブルを螺旋状に巻いて一体型に結束した状態を示す斜視図である。
【図１１ｂ】図１１ａのＤ−Ｄ`線に沿う断面図である。
【図１１ｃ】イヤホンケーブルを螺旋状に巻いて一体型に結束した状態のイヤホン装置を示す側面図である。
【図１２】本発明の好ましい第４実施例によるイヤホン装置の正面図である。
【図１３ａ】図１２のＡ、Ｂ、Ｃ部分に対する一実施例の形状の断面図あって、Ａ、Ｂ部分の分離時の縦断面図である。
【図１３ｂ】図１２のＡ、Ｂ、Ｃ部分に対する一実施例の形状の断面図あって、Ａ、Ｂ部分の結合時の縦断面図である。
【図１３ｃ】図１２のＡ、Ｂ、Ｃ部分に対する一実施例の形状の断面図あって、Ｃ部分の縦断面図である。
【図１４ａ】本発明の好ましい第４実施例によるイヤホン装置の保管の時イヤホンケーブルを螺旋状に巻いて一体型に結束した状態を示す斜視図である。
【図１４ｂ】図１４ａのＥ−Ｅ`線に沿う断面図である。
【図１５】本発明の好ましい第５実施例によるイヤホン装置の斜視図である。
【図１６ａ】図１５に示す着脱作動部の作動状態を示した斜視図である。
【図１６ｂ】図１６ａの縦断面図である。
【図１７】本発明の好ましい第６実施例によるイヤホン装置の斜視図である。
【図１８ａ】図１７に示す着脱作動部の作動状態を示した斜視図である。
【図１８ｂ】図１８ａの縦断面図である。
【発明を実施するための形態】
【００２８】
本発明の利点及び特徴、そしてそれらを達成する方法は添付図面と共に詳細に後述されている実施例を参照すれば明確になるのである。しかし、発明は以下で開示される実施例に限定されるのではなく、互いに異なる多様な形態に具現されることができ、ただ本実施例は本発明の開示を完全にし、本発明が属する技術分野で通常の知識を有する者に発明の範疇を完全に知らせるために提供されるものであり、本発明は特許請求項の範疇によって定義されるだけである。明細書全般にかけて同一参照符号は同一構成要素を指称する。
【００２９】
以下、添付図面を参照して本発明の好ましい実施例によるイヤホン装置を詳しく説明する。参考として本発明を説明するにおいて関連する公知機能あるいは構成に対する具体的な説明が本発明の要旨を不要に曖昧にすることができると判断される場合その詳細な説明を省略する。
【００３０】
図１は本発明の好ましい第１実施例によるイヤホン装置の正面図であり、図２ａは図１のＡ、Ｂ部分に対する一実施例の形状の断面図あって、Ａ、Ｂ部分の分離時の横断面図であり、図２ｂは図１のＡ、Ｂ部分に対する一実施例の形状の断面図あって、Ａ、Ｂ部分の結合時の横断面図であり、図３ａは図１のＡ、Ｂ部分に対する他の実施例の形状の断面図あって、Ａ、Ｂ部分の分離時の横断面図であり、図３ｂは図１のＡ、Ｂ部分に対する他の実施例の形状の断面図あって、Ａ、Ｂ部分の結合時の横断面図であり、図４ａは図１に示す着脱作動部の斜視図であり、図４ｂは図１に示す着脱作動部の作動状態を示した断面図である。
【００３１】
図１〜図４に示すように、本発明の好ましい第１実施例によるイヤホン装置１００はイヤホンジャッキ１１０、イヤホンスピーカー１２０、イヤホンケーブル１３０及び着脱作動部１４０を含むことができる。
【００３２】
イヤホンジャッキ１１０はＭＰ３プレーヤー、携帯電話、ＰＤＡなどのような音響器機（図示しない）の一側に形成された端子に挿入されて電気的に連結される。このようなイヤホンジャッキ１１０は公知された技術に該当するためその構成に対する詳細な説明は省略する。
【００３３】
イヤホンスピーカー１２０はイヤホンジャッキ１１０に連結されるイヤホンケーブル１３０を通じて音響器機から受け取った電気的信号を音響に変換させて出力する。イヤホンスピーカー１２０は一対に具備されて、後述する第１イヤホンケーブル１３１と第２イヤホンケーブル１３２の端部にそれぞれ連結される。イヤホンスピーカー１２０は使用者の耳に挿入されて安着されることができる形状に形成されることができる。イヤホンスピーカー１２０の内部には電気的信号を音響に変換させる構成、例えば振動板、マグネチック、ボイスコイルなどが具備されることができる。このようなイヤホンスピーカー１２０は公知された技術に該当するためその構成に対する詳細な説明は省略する。
【００３４】
イヤホンケーブル１３０は一端にイヤホンジャッキ１１０が連結されて音響器機の電気的信号を他端に連結されたイヤホンスピーカー１２０に伝達する。イヤホンケーブル１３０の内部には音響信号を伝達する電線１が内蔵される。イヤホンケーブル１３０は柔軟性材質で製作されて薄厚の長い板状に形成されることが好ましい。このようなイヤホンケーブル１３０はイヤホンジャッキ１１０から一定長さ延長され、所定部位で第１イヤホンケーブル１３１と第２イヤホンケーブル１３２に分岐される「Ｙ」字状に形成されて一対のイヤホンスピーカー１２０にそれぞれ連結される。第１イヤホンケーブル１３１と第２イヤホンケーブル１３２の全長または一部分にかけて相互対向する面には結合突起１３１ａと結合溝１３２ａが形成されて第１イヤホンケーブル１３１と第２イヤホンケーブル１３２が結合突起１３１ａと結合溝１３２ａの雄と雌の結合によって分離可能に結合される。結合突起１３１ａと結合溝１３２ａはイヤホンケーブル１３０の長さ方向と並んで縦型に形成されることができる。例えば、図２ａ及び図２ｂに示すように、イヤホンケーブル１３０は第１イヤホンケーブル１３１の一側面に第１イヤホンケーブル１３１の長さ方向と並んで結合突起１３１ａが縦に長く形成されて第１イヤホンケーブル１３１の一側面と対向する第２イヤホンケーブル１３２の一側面に結合突起１３１ａが挿入されるように第２イヤホンケーブル１３２の長さ方向と並んで結合溝１３２ａが縦に長く形成される一面の凹凸断面形状を有することができ、この場合には雄と雌の区分形態の断面構造を有することになる。または、図３ａ及び図３ｂに示すように、イヤホンケーブル１３０は第１イヤホンケーブル１３１の一側面に第１イヤホンケーブル１３１の長さ方向と並んで結合突起１３１ａと結合溝１３１ｂが縦に長く形成されて第１イヤホンケーブル１３１の一側面と対向する第２イヤホンケーブル１３２の一側面に結合突起１３１ａと結合溝１３１ｂがそれぞれ対応して挿入されるように第２イヤホンケーブル１３２の長さ方向と並んで結合溝１３２ａと結合突起１３２ｂが縦に長く形成される一面の凹凸断面形状を有することができ、この場合には対称構造で雄と雌の区分がない断面を有することになる。このようにイヤホンケーブル１３０の断面縦型結合突起１３１ａ、１３１ａ、１３２ｂと結合溝１３２ａ、１３１ｂ、１３２ａを分離可能に結合することによって二つに分岐される第１イヤホンケーブル１３１と第２イヤホンケーブル１３２を一つのイヤホンケーブルに一体化されるようにしてイヤホンの保管及び携帯時にもつれたり絡み合うことを防止することができる。イヤホンケーブル１３０には後述する着脱作動部１４０の下端移動を制限するストッパー１３５が設置されることができる。ストッパー１３５は第１イヤホンケーブル１３１と第２イヤホンケーブル１３２が分岐される部位に設置されることが好ましい。また、イヤホンケーブル１３０は分岐された第１イヤホンケーブル１３１と第２イヤホンケーブル１３２の中の何れか一側面にマイク及びボリューム調節ボタン（図示しない）が具備されることができる。
【００３５】
着脱作動部１４０は第１イヤホンケーブル１３１及び第２イヤホンケーブル１３２が内部孔を１４０ａを通過してイヤホンケーブル１３０の長さ方向に沿って移動可能に設置され、イヤホンケーブル１３０に沿って往復移動することによって結合突起１３１ａと結合溝１３２ａが相互嵌合または分離されることができるようにする。第１イヤホンケーブル１３１の結合突起１３１ａと第２イヤホンケーブル１３２の結合溝１３２ａを相互嵌合するためには着脱作動部１４０をイヤホンスピーカー１２０の方へ（図１で上部方向に）移動させることで一体化されるように結合される。この時には着脱作動部１４０の内面によって第１イヤホンケーブル１３１及び第２イヤホンケーブル１３２が集められながら結合突起１３１ａと結合溝１３２が相互結合される。また、第１イヤホンケーブル１３１の結合突起１３１ａと第２イヤホンケーブル１３２の結合溝１３２ａを相互分離するためには着脱作動部１４０をストッパー１３５の方へ（図１で下部方向に）移動させることで二つに分離される。この時には着脱作動部１４０に具備された作動突起１４１によって第１イヤホンケーブル１３１及び第２イヤホンケーブル１３２が隔てながら結合突起１３１ａと結合溝１３２ａが相互分離される。また、着脱作動部１４０はイヤホンケーブル１３０に沿って往復移動するように設置されて着脱作動部１４０の移動位置によってイヤホンケーブル１３０の分岐されることができる長さを調節することができる。着脱作動部１４０はプラスチック素材からなってイヤホンケーブル１３０に沿って往復移動時に摩擦力を小さくすることが好ましい。また、着脱作動部１４０は手との摩擦力を増大させて着脱作動部１４０の移動が容易にすることができるように着脱作動部１４０の外側面に滑り止め用突起１４３を複数形成することが好ましい。
【００３６】
上記のように構成される本発明の好ましい第１実施例によるイヤホン装置１００の作動を説明すれば、第１イヤホンケーブル１３１と第２イヤホンケーブル１３２の相互対向する面にイヤホンケーブル１３０の長さ方向と並んで縦に長く形成された結合突起１３１ａと結合溝１３２ａを雄と雌の結合によって嵌合することで二つに分岐される第１イヤホンケーブル１３１及び第２イヤホンケーブル１３２を一つのイヤホンケーブルに一体化することができるので、イヤホンの保管または携帯時にイヤホンケーブル１３０がもつれたり絡み合うことを防止することができ、イヤホンの使用時には結合突起１３１ａと結合溝１３２ａの嵌合を解除することで第１イヤホンケーブル１３１と第２イヤホンケーブル１３２に分離してイヤホンを使用可能である。また、結合突起１３１ａと結合溝１３２ａは着脱作動部１４０の移動によって結合または分離されるが、結合突起１３１ａと結合要溝１３２ａを結合させる時には着脱作動部１４０をイヤホンスピーカー１２０の方へ移動させ、分離させる時は着脱作動部１４０をストッパー１３５の方へ移動させれば小さな力でも分離が可能である。従って、イヤホンケーブル１３０の分岐される部位を一体化して結合するようにしてイヤホンの保管や携帯時にイヤホンケーブル１３０がもつれたり絡み合うことを防止してイヤホンケーブル１３０の断線を防止するとともに、イヤホンケーブル１３０の分岐される長さを調節することができるようにして使用上の便宜性を向上させることができるという効果を奏する。
【００３７】
図５は本発明の好ましい第２実施例によるイヤホン装置の正面図であり、図６ａは図５のＡ、Ｂ部分に対する一実施例の形状の断面図あって、Ａ、Ｂ部分の分離時の縦断面図であり、図６ｂは図５のＡ、Ｂ部分に対する一実施例の形状の断面図あって、Ａ、Ｂ部分の結合時の縦断面図であり、図７ａは図５に示す着脱作動部の斜視図であり、図７ｂは図５に示す着脱作動部の作動状態を示した断面図である。
【００３８】
図５〜図７に示すように、本発明の好ましい第２実施例によるイヤホン装置２００はイヤホンジャッキ２１０、イヤホンスピーカー２２０、イヤホンケーブル２３０及び着脱作動部２４０を含み、上記イヤホンケーブル２３０を除き、図１〜図４を参考して説明された上記第１実施例と同一である。従って、第１実施例と同じ機能を果たす構成要素、イヤホンジャッキ２１０、イヤホンスピーカー２２０及び着脱作動部２４０に対しては詳細な説明を省略する。
【００３９】
イヤホンケーブル２３０は一端にイヤホンジャッキ２１０が連結されて音響器機の電気的信号を他端に連結されたイヤホンスピーカー２２０に伝達する。イヤホンケーブル２３０の内部には音響信号を伝達する電線１が内蔵される。イヤホンケーブル２３０は柔軟性材質で製作されて薄厚の長い板状に形成されることが好ましい。このようなイヤホンケーブル２３０はイヤホンジャッキ２１０から一定長さで延長されて所定部位で第１イヤホンケーブル２３１と第２イヤホンケーブル２３２に分岐される「Ｙ」字状に形成されて一対のイヤホンスピーカー２２０にそれぞれ連結される。第１イヤホンケーブル２３１と第２イヤホンケーブル２３２の全長または一部分にかけて相互対向する面には結合突起２３１ａ、２３２ｂと結合溝２３１ｂ、２３２ａが形成され、第１イヤホンケーブル２３１と第２イヤホンケーブル２３２が結合突起２３１ａ、２３２ｂと結合溝２３１ｂ、２３２ａの雄と雌の結合によって分離可能に結合される。結合突起２３１ａ、２３２ｂと結合溝２３１ｂ、２３２ａはイヤホンケーブル２３０の長さ方向と垂直するように横型に形成されることができる。このような結合突起２３１ａ、２３２ｂと結合溝２３１ｂ、２３２ａはイヤホンケーブル２３０の長さ方向に沿って交互に繰り返し形成されることができる。例えば、図６ａ及び図６ｂに示すように、イヤホンケーブル２３０は第１イヤホンケーブル２３１の一側面に第１イヤホンケーブル２３１の長さ方向と垂直するように横型の結合突起２３１ａと結合溝２３１ｂが第１イヤホンケーブル２３１の長さ方向に沿って交互に繰り返し形成され、第１イヤホンケーブル２３１の一側面と対向する第２イヤホンケーブル２３２の一側面に第１イヤホンケーブル２３１の結合突起２３１ａと結合溝２３１ｂがそれぞれ対応して挿入されるように第２イヤホンケーブル２３２の長さ方向と垂直するように横型の結合溝２３２ａと結合突起２３２ｂが第２イヤホンケーブル２３２の長さ方向に沿って交互に繰り返し形成される一面凹凸断面形状を有することができる。特に、結合突起２３１ａ、２３２ｂは外側を向けて断面積が徐徐に大きくなるように形成して、結合溝２３１ｂ、２３２ａは内側を向けて断面積が徐徐に大きくなるように形成して結合突起２３１ａ、２３２ｂと結合溝２３１ｂ、２３２ａとの結合状態をさらに堅固にすることができる。このようにイヤホンケーブル２３０の断面横型結合突起２３１ａ、２３２ｂと結合溝２３１ｂ、２３２ａを分離可能に結合することによって二つに分岐される第１イヤホンケーブル２３１と第２イヤホンケーブル２３２を一つのイヤホンケーブルに一体化することができるようにしてイヤホンの保管及び携帯時にイヤホンケーブルがもつれたり絡み合うことを防止することができる。イヤホンケーブル２３０には着脱作動部２４０の下端移動を制限するストッパー２３５が設置されることができる。ストッパー２３５は第１イヤホンケーブル２３１と第２イヤホンケーブル２３２が分岐される部位に設置されることが好ましい。また、イヤホンケーブル２３０は分岐された第１イヤホンケーブル２３１と第２イヤホンケーブル２３２の中の何れか一側面にマイク及びボリューム調節ボタン（図示しない）が具備されることができる。
【００４０】
上記のように構成される本発明の好ましい第２実施例によるイヤホン装置２００の作動を説明すれば、第１イヤホンケーブル２３１と第２イヤホンケーブル２３２の相互対向する面にイヤホンケーブル２３０の長さ方向と垂直するように横に形成されてイヤホンケーブル２３０の長さ方向に沿って交互に繰り返し形成された結合突起２３１ａ、２３２ｂと結合溝２３１ｂ、２３２ａとを雄と雌の結合によって嵌合することで二つに分岐される第１イヤホンケーブル２３１及び第２イヤホンケーブル２３２を一つのイヤホンケーブルに一体化することができるので、イヤホンの保管または携帯時にイヤホンケーブル２３０がもつれたり絡み合うことを防止することができる、イヤホンの使用時には結合突起２３１ａ、２３２ｂと結合溝２３１ｂ、２３２ａとの嵌合を解除することで第１イヤホンケーブル２３１と第２イヤホンケーブル２３２に分離してイヤホン使用が可能である。また、結合突起２３１ａ、２３２ｂと結合溝２３１ｂ、２３２ａは着脱作動部２４０の移動によって結合または分離されるが、結合突起２３１ａ、２３２ｂと結合溝２３１ｂ、２３２ａとを結合させる時には着脱作動部２４０をイヤホンスピーカー２２０の方へ移動させ、分離させる時は着脱作動部２４０をストッパー２３５の方へ移動させれば小さな力でも分離が可能である。従って、イヤホンケーブル２３０の分岐される部位を一体化に結合することができるように構成してイヤホンの保管や携帯時にイヤホンケーブル２３０がもつれたり絡み合うことを防止するとともに、イヤホンケーブル２３０の分岐される長さを調節することができるようにして使用上の便宜性を向上させることができるという効果を奏する。
【００４１】
図８は本発明の好ましい第３実施例によるイヤホン装置の正面図であり、図９ａは図８のＡ、Ｂ、Ｃ部分に対する一実施例の形状の断面図あって、Ａ、Ｂ部分の分離時の横断面図であり、図９ｂは図８のＡ、Ｂ、Ｃ部分に対する一実施例の形状の断面図あって、Ａ、Ｂ部分の結合時の横断面図であり、図９ｃは図８のＡ、Ｂ、Ｃ部分に対する一実施例の形状の断面図あって、Ｃ部分の横断面図であり、図１０ａは図８のＡ、Ｂ、Ｃ部分に対する他の実施例の形状の断面図あって、Ａ、Ｂ部分の分離時の横断面図であり、図１０ｂは図８のＡ、Ｂ、Ｃ部分に対する他の実施例の形状の断面図あって、Ａ、Ｂ部分の結合時の横断面図であり、図１０ｃは図８のＡ、Ｂ、Ｃ部分に対する他の実施例の形状の断面図あって、Ｃ部分の横断面図であり、図１１ａは本発明の好ましい第３実施例によるイヤホン装置の保管時にイヤホンケーブルを螺旋状に巻いて一体型に結束した状態を示す斜視図であり、図１１ｂは図１１ａのＤ−Ｄ`線に沿う断面図であり、図１１ｃはイヤホンケーブルを螺旋状に巻いて一体型に結束した状態のイヤホン装置を示す側面図である。
【００４２】
図８〜図１１に示すように、本発明の好ましい第３実施例によるイヤホン装置３００はイヤホンジャッキ３１０、イヤホンスピーカー３２０、イヤホンケーブル３３０及び着脱作動部３４０を含み、上記イヤホンケーブル３３０を除き、図１〜図４を参考して説明された上記第１実施例と同一である。従って、第１実施例と同じ機能を果たす構成要素、イヤホンジャッキ３１０、イヤホンスピーカー３２０及び着脱作動部３４０に対しては詳細な説明を省略する。
【００４３】
イヤホンケーブル３３０は一端にイヤホンジャッキ３１０が連結されて音響器機の電気的信号を他端に連結されたイヤホンスピーカー３２０に伝達する。イヤホンケーブル３３０の内部には音響信号を伝達する電線１が内蔵される。イヤホンケーブル３３０は柔軟性材質で製作されて薄厚の長い板の状に形成されることが好ましい。このようなイヤホンケーブル３３０はイヤホンジャッキ３１０から一定の長さで延長されて所定部位で第１イヤホンケーブル３３１と第２イヤホンケーブル３３２に分岐される「Ｙ」字状に形成されて一対のイヤホンスピーカー３２０にそれぞれ連結される。第１イヤホンケーブル３３１と第２イヤホンケーブル３３２の全長または一部分にかけて相互対向する面には結合突起３３０ａと結合溝３３０ｂが形成され、第１イヤホンケーブル３３１と第２イヤホンケーブル３３２が結合突起３３０ａと結合溝３３０ｂの雄と雌の結合によって分離可能に結合される。また、イヤホンケーブル３３０の全長または一部分にかけて両側面には結合突起３３０ａと結合溝３３０ｂが形成されてイヤホンケーブル３３０を長さ方向に巻けば結合突起３３０ａと結合溝３３０ｂの雄と雌の結合によってイヤホンケーブル３３０が螺旋状に巻かれて一体型に結束されることができる。結合突起３３０ａと結合溝３３０ｂはイヤホンケーブル３３０の長さ方向と並んで縦型に形成されることができる。例えば、図９ａ、図９ｂ及び図９ｃに示すように、イヤホンケーブル３３０は一側面にイヤホンケーブル３３０の長さ方向と並んで結合突起３３０ａが縦に長く形成され、他側面にイヤホンケーブル３３０の長さ方向と並んで結合溝３３０ｂが縦に長く形成される両面凹凸断面形状になって雄と雌仕分け形態の両面構造を有するようになり、イヤホンケーブル３３０を長さ方向に螺旋状巻けばイヤホンケーブル３３０の一側面に形成された縦型結合突起３３０ａがイヤホンケーブル３３０の他側面に形成された縦型結合溝３３０ｂに挿入結合されることができる。または、図１０ａ、図１０ｂ及び図１０ｃに示すように、イヤホンケーブル３３０は一側面にイヤホンケーブル３３０の長さ方向と並んで結合突起３３０ａと結合溝３３０ｃが縦に長く形成され、他側面にイヤホンケーブル３３０の長さ方向と並んで結合溝３３０ｂと結合突起３３０ｄが縦に長く形成される両面二重凹凸断面形状になって対称構造で雄と雌の区分なしに両面構造を有するようになり、イヤホンケーブル３３０を長さ方向に螺旋状に巻けばイヤホンケーブル３３０の一側面に形成された縦型結合突起３３０ａがイヤホンケーブル３３０の他側面に形成された縦型結合溝３３０ｂに挿入結合され、イヤホンケーブル３３０の一側面に形成された縦型結合溝３３０ｃにイヤホンケーブル３３０の他側面に形成された縦型結合突起３３０ｄが挿入結合されことができる。この時、図１０ａの拡大部分に示すように、結合突起３３０ａ、３３０ｄの両方に外向突起片３を形成し、結合溝３３０ｂ、３３０ｃの両方に内向突起片４を形成して、結合突起３３０ａ、３３０ｄが結合溝３３０ｂ、３３０ｃに挿入される時、結合突起３３０ａ、３３０ｄの外向突起片３と結合溝３３０ｂ、３３０ｃの内向突起片４とが相互締結されることにより、結合突起３３０ａ、３３０ｄと結合溝３３０ｂ、３３０ｃとの間の結合力が強化されることができる。また、突起片３、４の深さや大きさの設計によって結合力と分離の容易性を適切に調節することができる。このようにイヤホンケーブル３３０の両面の縦型結合突起３３０ａと結合溝３３０ｂを分離可能に結合することによって二つに分岐される第１イヤホンケーブル３３１と第２イヤホンケーブル３３２を一つのイヤホンケーブルに一体化することができるようにしてイヤホンの保管または携帯時にイヤホンケーブル３３０がもつれたり絡み合うことを防止することができ、イヤホンケーブル３３０を長さ方向に巻けばイヤホンケーブル３３０の両面に形成された縦型結合突起３３０ａ、３３０ｄと結合溝３３０ｂ、３３０ｃの雌雄の結合によってイヤホンケーブル３３０が螺旋状に巻かれて一体型に結束され、保管が容易になる。イヤホンケーブル３３０には着脱作動部３４の下端の移動を制限するストッパー３３５が設置されことができる。ストッパー３３５は第１イヤホンケーブル３３１と第２イヤホンケーブル３３２とが分岐される部位に設置されることが好ましい。また、イヤホンケーブル３３０は分岐された第１イヤホンケーブル３３１と第２イヤホンケーブル３３２の中の何れか一側にマイク、ボリューム調節ボタン(図示しない)が具備されことができる。
【００４４】
上記のように構成される本発明の好ましい第３実施例によるイヤホン装置３００の作動を説明すれば、第１イヤホンケーブル３３１と第２イヤホンケーブル３３２の相互対向する面にイヤホンケーブル３３０の長さ方向と並んで縦に長く形成された結合突起３３０ａと結合溝３３０ｂを雄と雌の結合によって嵌合することで二つに分岐される第１イヤホンケーブル３３１及び第２イヤホンケーブル３３２を一つのイヤホンケーブルに一体化することができるので、イヤホンの保管または携帯時にイヤホンケーブル３３０がもつれたり絡み合うことを防止することができ、イヤホンの使用時には結合突起３３０ａと結合溝３３０ｂとの嵌合を解除することで第１イヤホンケーブル３３１と第２イヤホンケーブル３３２に分離してイヤホンの使用が可能である。また、イヤホンケーブル３３０の両側面にイヤホンケーブル３３０の長さ方向と並んで縦に長く結合突起３３０ａと結合溝３３０ｂが形成されてイヤホンケーブル３３０を長さ方向に巻けばイヤホンケーブル３３０の一側面に形成された縦型結合突起３３０ａがイヤホンケーブル３３０の他側面に形成された縦型結合溝３３０ｂに挿入されて雄と雌により結合されながらイヤホンケーブル３３０が螺旋状に巻かれて一体型に結束される。従って、イヤホンケーブル３３０の分岐される部位を一体化に結合することにより、イヤホンの保管や携帯時にイヤホンケーブル３３０がもつれたり絡み合うことを防止するとともに、別途の結束部材を用いることなくイヤホンケーブル３３０を巻けばイヤホンケーブル３３０の両面に形成された縦型結合突起３３０ａと結合溝３３０ｂの雄と雌の結合によってイヤホンケーブル３３０が一体化されるように結束されることができるようにして、嵩を減少させ、保管を容易にするという効果を奏する。
【００４５】
図１２は本発明の好ましい第４実施例によるイヤホン装置の正面図であり、図１３ａは図１２のＡ、Ｂ、Ｃ部分に対する一実施例の形状の断面図あって、Ａ、Ｂ部分の分離時の縦断面図であり、図１３ｂは図１２のＡ、Ｂ、Ｃ部分に対する一実施例の形状の断面図あって、Ａ、Ｂ部分の結合時の縦断面図であり、図１３ｃは図１２のＡ、Ｂ、Ｃ部分に対する一実施例の形状の断面図あって、Ｃ部分の縦断面図であり、図１４ａは本発明の好ましい第４実施例によるイヤホン装置の保管時にイヤホンケーブルを螺旋状に巻いて一体型に結束した状態を示す斜視図であり、図１４ｂは図１４ａのＥ−Ｅ`線に沿う断面図である。
【００４６】
図１２〜図１４に示すように、本発明の好ましい第４実施例によるイヤホン装置４００はイヤホンジャッキ４１０、イヤホンスピーカー４２０、イヤホンケーブル４３０及び着脱作動部４４０を含み、上記イヤホンケーブル４３０を除き、図１〜図４を参考して説明された上記第１実施例と同一である。従って、第１実施例と同じ機能を果たす構成要素、イヤホンジャッキ４１０、イヤホンスピーカー４２０及び着脱作動部４４０に対しては詳細な説明を省略する。
【００４７】
イヤホンケーブル４３０は一端にイヤホンジャッキ４１０が連結されて音響器機の電気的信号を他端に連結されたイヤホンスピーカー４２０に伝達する。イヤホンケーブル４３０の内部には音響信号を伝達する電線１が内蔵される。イヤホンケーブル４３０は柔軟性の材質で製作されて薄厚の長い板状に形成されることが好ましい。このようなイヤホンケーブル４３０はイヤホンジャッキ４１０から一定の長さで延長されて所定部位で第１イヤホンケーブル４３１と第２イヤホンケーブル４３２とに分岐される「Ｙ」字状に形成されて一対のイヤホンスピーカー４２０にそれぞれ連結される。第１イヤホンケーブル４３１と第２イヤホンケーブル４３２の全長または一部分にかけて相互対向する面には結合突起４３０ａ、４３０ｄと結合溝４３０ｂ、４３０ｃが形成されて第１イヤホンケーブル４３１と第２イヤホンケーブル４３２が結合突起４３０ａ、４３０ｄと結合溝４３０ｂ、４３０ｃの雄と雌の結合によって分離可能に結合される。また、イヤホンケーブル４３０の全長または一部分にかけて両側面には結合突起４３０ａ、４３０ｄと結合溝４３０ｂ、４３０ｃが形成されてイヤホンケーブル４３０を長さ方向に巻けば結合突起４３０ａ、４３０ｄと結合溝４３０ｂ、４３０ｃの雄と雌の結合によってイヤホンケーブル４３０が螺旋状に巻かれて一体型に結束されることができる。結合突起４３０ａ、４３０ｄと結合溝４３０ｂ、４３０ｃはイヤホンケーブル４３０の長さ方向と垂直するように横型に形成されることができる。このような結合突起４３０ａ、４３０ｄと結合溝４３０ｂ、４３０ｃはイヤホンケーブル４３０の長さ方向に沿って交互に繰り返し形成されることができる。例えば、図１３ａ、図１３ｂ及び図１３ｃに示すように、イヤホンケーブル４３０は両側面にイヤホンケーブル４３０の長さ方向と垂直するように横型の結合突起４３０ａ、４３０ｄと結合溝４３０ｂ、４３０ｃがイヤホンケーブル４３０の長さ方向に沿って交互に繰り返し形成される両面凹凸断面形状を有し、イヤホンケーブル４３０を長さ方向に螺旋状に巻けばイヤホンケーブル４３０の一側面に形成された結合突起４３０ａと結合溝４３０ｂがイヤホンケーブル４３０の他側面に形成された結合溝４３０ｃと結合突起４３０ｄにそれぞれ対応されるように挿入結合される。このようにイヤホンケーブル４３０の両面横型結合突起４３０ａ、４３０ｄと結合溝４３０ｂ、４３０ｃを分離可能に結合することによって二つに分岐される第１イヤホンケーブル４３１と第２イヤホンケーブル４３２を一つのイヤホンケーブルに一体化することができるようにしてイヤホンの保管または携帯時にイヤホンケーブル４３０がもつれたり絡み合うことを防止することができ、イヤホンケーブル４３０を長さ方向に巻けばイヤホンケーブル４３０の両面に形成された横型結合突起４３０ａ、４３０ｄと結合溝４３０ｂ、４３０ｃの雌雄の結合によってイヤホンケーブル４３０が螺旋状に巻かれて一体型に結束され、保管が容易になる。イヤホンケーブル４３０には着脱作動部４４０の下端の移動を制限するストッパー４３５が設置されことができる。ストッパー４３５は第１イヤホンケーブル４３１と第２イヤホンケーブル４３２が分岐される部位に設置されることが好ましい。また、イヤホンケーブル４３０は分岐された第１イヤホンケーブル４３１と第２イヤホンケーブル４３２の中の何れか一側にマイク、ボリューム調節ボタン(図示しない)が具備されことができる。
【００４８】
上記のように構成される本発明の好ましい第４実施例によるイヤホン装置４００の作動を説明すれば、第１イヤホンケーブル４３１と第２イヤホンケーブル４３２の相互対向する面にイヤホンケーブル４３０の長さ方向と垂直するように横に形成され、イヤホンケーブル４３０の長さ方向に沿って交互に繰り返し形成された結合突起４３０ａ、４３０ｄと結合溝４３０ｂ、４３０ｃを雄と雌の結合によって嵌結合することで二つに分岐される第１イヤホンケーブル４３１及び第２イヤホンケーブル４３２を一つのイヤホンケーブルに一体化することができるので、イヤホンの保管または携帯時にイヤホンケーブル４３０がもつれたり絡み合うことを防止することができ、イヤホンの使用時には結合突起４３０ａ、４３０ｄと結合溝４３０ｂ、４３０ｃの嵌合を解除することで第１イヤホンケーブル４３１と第２イヤホンケーブル４３２に分離してイヤホンが使用可能である。また、イヤホンケーブル４３０の両側面にイヤホンケーブル４３０の長さ方向と垂直するように横型の結合突起４３０ａ、４３０ｄと結合溝４３０ｂ、４３０ｃがイヤホンケーブル４３０の長さ方向に沿って交互に繰り返し形成されてイヤホンケーブル４３０を長さ方向に巻けばイヤホンケーブル４３０の一側面に形成された横型結合突起４３０ａと結合溝４３０ｂがイヤホンケーブル４３０の他側面に形成された横型結合溝４３０ｃと結合突起４３０ｄにそれぞれ対応して挿入されて雄雌結合されながらイヤホンケーブル４３０が螺旋状に巻かれて一体型に結束される。従って、イヤホンケーブル４３０の分岐される部位を一体化されるように結合してイヤホンの保管や携帯時にイヤホンケーブル４３０がもつれたり絡み合うことを防止するとともに、別途の結束部材をもちいることなくイヤホンケーブル４３０を巻けばイヤホンケーブル４３０の両面に形成された横型結合突起４３０ａ、４３０ｄと結合溝４３０ｂ、４３０ｃの雄と雌の結合によってイヤホンケーブル４３０が一体化されるように結束されることができて、嵩を減少させ、保管を容易にするという効果を奏する。
【００４９】
図１５は本発明の好ましい第５実施例によるイヤホン装置の斜視図であり、図１６ａは図１５に示す着脱作動部の作動状態を示した斜視図であり、図１６ｂは図１６ａの縦断面図である。
【００５０】
図１５及び図１６に示すように、本発明の好ましい第５実施例によるイヤホン装置５００はネックレス型イヤホンとして、イヤホンジャッキ５１０、イヤホンスピーカー５２０、ネックレスケーブル５３０、イヤホンケーブル５４０及び着脱作動部５５０を含み、上記ネックレスケーブル５３０、イヤホンケーブル５４０及び着脱作動部５５０を除き、図１〜図４を参考して説明された上記第１実施例と同一である。従って、第１実施例と同じ機能を果たす構成要素、イヤホンジャッキ５１０及びイヤホンスピーカー５２０に対しては詳細な説明を省略する。
【００５１】
ネックレスケーブル５３０はイヤホンジャッキ５１０から一定の長さで延長されて使用者の首にかけることができるように環状のネックレス形状に形成される。ネックレスケーブル５３０の内部には音響器機１０に連結されたイヤホンジャッキ５１０から伝達された音響信号をイヤホンケーブル５４０に伝達するための電線１が内蔵される。ネックレスケーブル５３０は柔軟性のある材質で製作され、薄厚の長い板形状に形成されることが好ましい。
【００５２】
イヤホンケーブル５４０はネックレスケーブル５３０から分岐されてイヤホンスピーカー５２０に連結される。イヤホンケーブル５４０の内部にはネックレスケーブル５３０の電線１を通じて伝達された音響信号をイヤホンスピーカー５２０に伝達するための電線１が内蔵される。イヤホンケーブル５４０は柔軟性のある材質で製作され、薄厚の長い板形状に形成されることが好ましい。
【００５３】
ネックレスケーブル５３０とイヤホンケーブル５４０の相互対向する面には結合突起５３０ａと結合溝５４０ａが形成されてネックレスケーブル５３０とイヤホンケーブル５４０が結合突起５３０ａと結合溝５４０ａの雄と雌の結合によって分離可能に結合されることができる。結合突起５３０ａと結合溝５４０ａはネックレスケーブル５３０及びイヤホンケーブル５４０の長さ方向と並んで縦型に形成される。例えば、図１５に示すように、ネックレスケーブル５３０の一側面にネックレスケーブル５３０の長さ方向と並んで結合突起５３０ａが縦に長く形成され、ネックレスケーブル５３０の一側面と対向するイヤホンケーブル５４０の一側面に結合突起５３０ａが挿入されるようにイヤホンケーブル５４０の長さ方向と並んで結合要溝５４０ａが縦に長く形成される一面凹凸断面形状を有することができる。または、図示しなかったが、逆にネックレスケーブル５３０の一側面に結合溝が形成され、ネックレスケーブル５３０の一側面と対向するイヤホンケーブル５４０の一側面に結合溝に挿入されるように結合突起が形成される一面凹凸断面形状を有することができる。
【００５４】
着脱作動部５５０はネックレスケーブル５３０とイヤホンケーブル５４０が内部を通過し、ネックレスケーブル５３０及びイヤホンケーブル５４０に沿って移動可能に設置され、ネックレスケーブル５３０及びイヤホンケーブル５４０に沿って移動することによって結合突起５３０ａと結合溝５４０ａが分離されたり結合されることができるようにする。
【００５５】
上記のように構成される本発明の好ましい第５実施例によるイヤホン装置５００の作動を説明すれば、ネックレスケーブル５３０とイヤホンケーブル５４０の相互対向する面にネックレスケーブル５３０及びイヤホンケーブル５４０の長さ方向と並んで縦に長く形成された結合突起５３０ａと結合溝５４０ａを雄と雌の結合によって嵌合することで分岐されたイヤホンケーブル５４０をネックレスケーブル５３０に一体的に結合するようにすることでイヤホンの保管または携帯時にイヤホンケーブル５４０がもつれたり絡み合うことを防止することができ、イヤホンの使用時には結合突起５３０ａと結合溝５４０ａの嵌合を解除することでネックレスケーブル５３０からイヤホンケーブル５４０を分離してイヤホンを使用可能である。また、結合突起５３０ａと結合溝５４０ａは着脱作動部５５０の移動によって結合または分離されるが、結合突起５３０ａと結合溝５４０ａを結合させる時には着脱作動部５５０をイヤホンスピーカー５２０の方へ移動させ、分離させる時は着脱作動部５５０をストッパー５３１の方へ移動させれば作動突起５５１によって小さな力でも分離可能である。従って、分岐されたイヤホンケーブル５４０をネックレスケーブル５３０に一体化されるように結合することによりイヤホンの保管や携帯時にイヤホンケーブル５４０がもつれたり絡み合うことを防止し、イヤホンケーブル５４０の断線を防止するとともに、イヤホンケーブル５４０の分岐される長さを調節することができて、使用上の便宜性を向上させることができるという効果を奏する。
【００５６】
図１７は本発明の好ましい第６実施例によるイヤホン装置の斜視図であり、図１８ａは図１７に示す着脱作動部の作動状態を示した斜視図であり、図１８ｂは図１８ａの縦断面図である。
【００５７】
図１７〜図１８に示すように、本発明の好ましい第６実施例によるイヤホン装置６００はイヤホンジャッキ６１０、イヤホンスピーカー６２０、ネックレスケーブル６３０、イヤホンケーブル６４０及び着脱作動部６５０を含み、上記ネックレスケーブル６３０及び上記イヤホンケーブル６４０を除き、図１５及び図１６を参考して説明された上記第５実施例と同一である。従って、第５実施例と同じ機能を果たす構成要素、イヤホンジャッキ６１０、イヤホンスピーカー６２０及び着脱作動部６５０に対しては詳細な説明を省略する。
【００５８】
ネックレスケーブル６３０とイヤホンケーブル６４０の相互対向する面には結合突起６３０ａ、６４０ｂと結合溝６３０ｂ、６４０ａが形成されてネックレスケーブル６３０とイヤホンケーブル６４０が結合突起６３０ａ、６４０ｂと結合溝６３０ｂ、６４０ａの雄と雌の結合によって分離可能に結合されることができる。結合突起６３０ａ、６４０ｂと結合溝６３０ｂ、６４０ａはネックレスケーブル６３０及びイヤホンケーブル６４０の長さ方向と垂直するように横型に形成される。例えば、図１７に示すように、ネックレスケーブル６３０の一側面にネックレスケーブル６３０の長さ方向と垂直するように横型の結合突起６３０ａと結合溝６３０ｂがネックレスケーブル６３０の長さ方向に沿って交互に繰り返し形成され、ネックレスケーブル６３０の一側面と対向するイヤホンケーブル６４０の一側面にネックレスケーブル６３０の結合突起６３０ａと結合溝６３０ｂがそれぞれ対応して挿入されるようにイヤホンケーブル６４０の長さ方向と垂直するように横型の結合要溝６４０ａと結合突起６４０ｂがイヤホンケーブル６４０の長さ方向に沿って交互に繰り返し形成される一面凹凸断面形状を有することができる。
【００５９】
上記のように構成される本発明の好ましい第６実施例によるイヤホン装置６００の作動を説明すれば、ネックレスケーブル６３０とイヤホンケーブル６４０の相互対向する面にネックレスケーブル６３０及びイヤホンケーブル６４０の長さ方向と垂直するように横方向に形成され、ネックレスケーブル６３０及びイヤホンケーブル６４０の長さ方向に沿って交互に繰り返し形成された結合突起６３０ａ、６４０ｂと結合溝６３０ｂ、６４０ａを雄と雌の結合によって嵌合することで分岐されたイヤホンケーブル６４０をネックレスケーブル６３０に一体に結合するようにすることでイヤホンの保管または携帯時にイヤホンケーブル６４０がもつれたり絡み合うことを防止することができ、イヤホンの使用時には結合突起６３０ａ、６４０ｂと結合溝６３０ｂ、６４０ａとの嵌合を解除することでネックレスケーブル６３０からイヤホンケーブル６４０を分離してイヤホンを使用可能である。また、結合突起６３０ａ、６４０ｂと結合溝６３０ｂ、６４０ａは着脱作動部６５０の移動によって結合または分離されるが、結合突起６３０ａ、６４０ｂと結合溝６３０ｂ、６４０ａを結合させる時には着脱作動部６５０をイヤホンスピーカー６２０の方へ移動させ、分離させる時は着脱作動部６５０をストッパー６３１の方へ移動させれば小さな力でも分離可能である。従って、分岐されたイヤホンケーブル６４０をネックレスケーブル６３０に一体化されるように結合することによりイヤホンの保管や携帯時にイヤホンケーブル６４０がもつれたり絡み合うことを防止し、イヤホンケーブル６４０の断線を防止するとともに、イヤホンケーブル６４０の分岐される長さを調節することができて使用上の便宜性を向上させることができるという効果を奏する。
【００６０】
以上添付された図面を参照して本発明の実施例を説明したが、本発明が属する技術分野において通常の資格を有する者は本発明がその技術的思想や必須的特徴を変更しなくても他の具体的な形態で実施されることができることを理解すべきである。従って、以上で記述した実施例は全ての面で例示的なものであり、限定的なものではないことを理解すべきである。本発明の範囲は詳細な説明よりは特許請求範囲によって定められ、特許請求範囲の意味及び範囲そしてその均等概念から導出される全ての変更または変形された形態が本発明の範囲に含まれることに解釈すべきである。
【図１】
2017520987.tif 000003
【図２ａ】
2017520987.tif 000004
【図２ｂ】
2017520987.tif 000005
【図３ａ】
2017520987.tif 000006
【図３ｂ】
2017520987.tif 000007
【図４ａ】
2017520987.tif 000008
【図４ｂ】
2017520987.tif 000009
【図５】
2017520987.tif 000010
【図６ａ】
2017520987.tif 000011
【図６ｂ】
2017520987.tif 000012
【図７ａ】
2017520987.tif 000013
【図７ｂ】
2017520987.tif 000014
【図８】
2017520987.tif 000015
【図９ａ】
2017520987.tif 000016
【図９ｂ】
2017520987.tif 000017
【図９ｃ】
2017520987.tif 000018
【図１０ａ】
2017520987.tif 000019
【図１０ｂ】
2017520987.tif 000020
【図１０ｃ】
2017520987.tif 000021
【図１１ａ】
2017520987.tif 000022
【図１１ｂ】
2017520987.tif 000023
【図１１ｃ】
2017520987.tif 000024
【図１２】
2017520987.tif 000025
【図１３ａ】
2017520987.tif 000026
【図１３ｂ】
2017520987.tif 000027
【図１３ｃ】
2017520987.tif 000028
【図１４ａ】
2017520987.tif 000029
【図１４ｂ】
2017520987.tif 000030
【図１５】
2017520987.tif 000031
【図１６ａ】
2017520987.tif 000032
【図１６ｂ】
2017520987.tif 000033
【図１７】
2017520987.tif 000034
【図１８ａ】
2017520987.tif 000035
【図１８ｂ】
2017520987.tif 000036
【国際調査報告】
2017520987.tif 000037
2017520987.tif 000038
2017520987.tif 000039
2017520987.tif 000040